(57)【要約】【課題】  カードの外形寸法公差が大きい状況においても、スイッチレバーの変位量を大きくすることなくスイッチ接点を安定して切り替えることを可能にする。【構成】  カードＡが挿脱されるカードスロット１３を有したケース部１０と、ケース部１０内においてカードスロット１３に挿入されたカードＡの当接により移動可能に支持されたスライド部２０と、ケース部１０のカード幅方向の外側に設けられたスイッチ切片であり且つカードＡの挿脱をスイッチ接点として出力するスイッチ接点部６０と、ケース部１０にスイッチ接点部６０に内側から当接可能に設けられており且つスライド部２０の当接により開放先端部分が弾性変形してスイッチ接点部２０を短絡可能に押圧させるレバー片７０とを備えている。【選択図】  図１
2006147156.tif 000002
【特許請求の範囲】
【請求項１】
カードが挿脱されるカードスロットを有したケース部と、ケース部内においてカードスロットに挿入されたカードの当接により移動可能に支持されたスライド部と、ケース部のカード幅方向の外側に設けられたスイッチ切片であり且つカードの挿脱をスイッチ接点として出力するスイッチ接点部と、ケース部にスイッチ接点部に内側から当接可能に設けられており且つスライド部の当接により開放先端部分が弾性変形してスイッチ接点部を開放／短絡可能に押圧させるレバー片とを備えていることを特徴とするカードコネクタ。
【請求項２】
請求項１記載のカードコネクタにおいて、レバー片の代わりにレバーブロック部を使用しており、レバーブロック部は、スライド部に設けられており且つスライド部の移動に伴ってスイッチ接点部を開放／短絡可能に押圧させる構成となっていることを特徴とするカードコネクタ。
【請求項３】
カードが挿脱されるカードスロットを有したケース部と、ケース部内においてカードスロットに挿入されたカードにより押圧移動自在に支持されたスライド部と、ケース部に設けられたスイッチ切片であり且つカードの挿脱をスイッチ接点として出力するスイッチ接点部とを備えており、スライド部は、カードの挿入に伴う移動によりスイッチ接点部に当接可能であり、当該当接部分にスイッチ接点部を開放／短絡可能にさせるための凹部又は凸部が設けられていることを特徴とするカードコネクタ。
【発明の詳細な説明】
【技術分野】
【０００１】
本発明はカードの挿脱を検出するスイッチ接点を有したカードコネクタに関する。
【背景技術】
【０００２】
従来のカードコネクタにおいて、ハウジング内にスイッチ接点が設けられ、カードがハウジング内に挿入されて挿着位置にロックされた時、カードの接触によりスイッチ接点が変位し、これによりカードが挿脱を検出する機能を有するものがある。スイッチ接点としては、金属弾性体による片持ちバリ構造のスイッチレバーを使用するのが一般的である（特許文献１、２、３等参照）。
【０００３】
【特許文献１】特開２００２−２５２０４５号公報
【特許文献２】特開２００１−３３８７２９公報
【特許文献３】特願平１１−９７１１０号公報
【発明の開示】
【発明が解決しようとする課題】
【０００４】
しかしながら、上記従来例による場合、スイッチ接点がカードの接触により変位する構成となっていることから、カードの外形寸法公差が大きいときには、スイッチレバーの変位量を大きくとらなければ、スイッチ接点が安定して切り替わらないという問題があった。これは、スイッチ接点の切り替わり位置がカードの外形寸法やカード挿入位置等に依存しているためである。スイッチレバーの変位量を大きくすると、カードコネクタ自体の大型化が避けられない。即ち、カードの外形寸法公差が大きい状況において、カード挿脱検出の安定化とカードコネクタの小型薄型化との双方を図ることは非常に困難であった。
【０００５】
本発明は上記した背景の下で創作されたものであり、その目的とするところは、カードの外形寸法公差が大きい状況においても、スイッチレバーの変位量を大きくすることなくスイッチ接点を安定して切り替えることが可能なカードコネクタを提供することにある。
【課題を解決するための手段】
【０００６】
本発明に係るカードコネクタは、カードが挿脱されるカードスロットを有したケース部と、ケース部内においてカードスロットに挿入されたカードの当接により移動可能に支持されたスライド部と、ケース部のカード幅方向の外側に設けられたスイッチ切片であり且つカードの挿脱をスイッチ接点として出力するスイッチ接点部と、ケース部にスイッチ接点部に内側から当接可能に設けられており且つスライド部の当接により開放先端部分が弾性変形してスイッチ接点部を開放／短絡可能に押圧させるレバー片とを備えている。
【０００７】
レバー片の代わりに次のようなレバーブロック部を使用しても良い。即ち、レバーブロック部は、スライド部に設けられており且つスライド部の移動に伴ってスイッチ接点部を開放／短絡可能に押圧させる構成となっている。
【０００８】
本発明に係る他のカードコネクタは、カードが挿脱されるカードスロットを有したケース部と、ケース部内においてカードスロットに挿入されたカードにより押圧移動自在に支持されたスライド部と、ケース部に設けられたスイッチ切片であり且つカードの挿脱をスイッチ接点として出力するスイッチ接点部とを備えており、スライド部は、カードの挿入に伴う移動によりスイッチ接点部に当接可能であり、当該当接部分にスイッチ接点部を開放／短絡可能にさせるための凹部又は凸部が設けられている。
【発明の効果】
【０００９】
以上、本発明の請求項１に係るカードコネクタによる場合、挿入されたカードの当接によりスライド部が移動し、スライド部の押圧によりレバー片の開放先端部が弾性変形し、レバー片の押圧によりスイッチ接点部が開放／短絡する構成となっている。そのため、カードの外形寸法公差に関係なく、カードの挿入に伴うレバー片の変位量が僅かであってもスイッチ接点を安定して切り替えることが可能になる。よって、カードの外形寸法公差が大きい状況の下で、カード挿脱検出の安定化とカードコネクタの小型薄型化との双方を図ることが可能になるという効果を奏する。
【００１０】
本発明の請求項２に係るカードコネクタによる場合、挿入されたカードの当接によりスライド部が移動し、スライド部に設けられたレバーブロック部の押圧によりスイッチ接点部が開放／短絡する構成となっているので、請求項１と同様の効果を奏する。
【００１１】
本発明の請求項３に係るカードコネクタによる場合、挿入されたカードの当接によりスライド部が移動し、スライド部に設けられた凹部又は凸部によりスイッチ接点部が開放／短絡する構成となっているので、請求項１と同様の効果を奏する。
【発明を実施するための最良の形態】
【００１２】
以下、本発明の実施の形態を図面に基づいて説明する。図１はカードコネクタの内部を示す斜視図、図２は同カードコネクタの外観を示す斜視図、図３はカードコネクタに挿入されたカードがロックされる前の状態を示すカードコネクタの内部斜視図、図４はカードコネクタに挿入されたカードがロックされた状態を示すカードコネクタの内部斜視図である。
【００１３】
ここに掲げるカードコネクタは、携帯電話機、携帯情報端末（ＰＤＡ）、デジタルカメラ、デジタルオーディオ機器等の電子機器に記憶媒体として使用されるカード、例えば、スマートメディア（商標）、メモリースティック（商標）、ＳＤカード（商標）等のカード用のものであって、プッシュ−プッシュイジェクト機能の他、カードの挿脱を検出する機能を有している。
【００１４】
即ち、図１乃至図４に示すように、カードＡが挿脱されるカードスロット１３を有したケース部１０と、ケース部１０内においてカードスロット１３に挿入されたカードＡの当接により移動可能に支持されたスライド部２０と、スライド部２０をカード排出方向に付勢させるバネ部３０と、スライド部２０をカード挿入位置でロックするとともにカード排出位置でロック解除するプッシュ−プッシュイジェクト機構４０と、ケース部１０に取り付けられており且つカードＡの外部電極に電気接触する複数のコンタクト５０と、ケース部１０のカード幅方向の外側に設けられたスイッチ切片であり且つカードの挿脱をスイッチ接点として出力するスイッチ接点部６０と、ケース部１０にスイッチ接点部６０に内側から当接可能に設けられており且つスライド部２０の当接により開放先端部分が弾性変形してスイッチ接点部６０を開放／短絡可能に押圧させるレバー片７０とを備えた基本構成となっている。以下、各部について詳細に説明する。
【００１５】
ケース部１０はカードＡが収容可能な薄型の樹脂製箱体であって、上ケース１２と下ケース１１とを有している。ケース部１０の手前側面にはカードスロット１３となる開口が形成されている。下ケース１１上の手前側にはスライド部２０及びプッシュ−プッシュイジェクト機構４０が移動自在に設けられ、その奥側にはコンタクト５０及びバネ部３０が取り付けられている。
【００１６】
下ケース１１の奥側端面にはコンタクト５０の外部端子５１及びスイッチ接点部６０の外部端子６３が設けられている。下ケース１１の図１中左側の端面にはスイッチ接点部６０の外部端子６４が設けられている。下ケース１１の図１レバー片７０が一体的に形成され、その外側にスイッチ接点部６０に取り付けられている。
【００１７】
スライド部２０は図１に示すような形状に形成された金属板であって、カードＡの挿入時にその奥側端面に当接する折り曲げ部２１、２２を有しており、図１中右側部にプッシュ−プッシュイジェクト機構４０が取り付けられている。即ち、スライド部２０は、カードＡがカードスロット１３に挿入されると、折り曲げ部２１、２２に当接し、バネ部３０の弾性力に抗してプッシュ−プッシュイジェクト機構４０とともに移動するようになっている。
【００１８】
バネ部３０は下ケース１１上に形成された突脈の間に取り付けられたスプリングであって、下ケース１１の奥側端面とプッシュ−プッシュイジェクト機構４０との間に位置しており、スライド部２０をプッシュ−プッシュイジェクト機構４０を通じてカード排出方向に付勢させるようになっている。
【００１９】
プッシュ−プッシュイジェクト機構４０は、断面コ字状をなした金属部材４１を主要構成とした周知のフック機構である。即ち、カードＡが挿入され、これに伴ってスライド部２０がカード挿入位置にまで移動すると、金属部材４１に形成された図外の係合片が下ケース１１の一部に形成された図外の穴に係合してロックする一方、この状態でカードＡが更に若干奥に挿入され、これに伴って、スライド部２０がカード排出位置にまで移動すると、前記係合片が前記穴から外れてロック解除する基本構成となっている。
【００２０】
コンタクト５０はカードＡの外部電極に対応したピッチ間隔で下ケース１１に取り付けられた金属端子片であって、その後端部が外部電極５１となっている。即ち、スライド部２０がカード挿入位置にある状態において先端部がカードＡの外部電極の所定位置に電気接触するようになっている。
【００２１】
スイッチ接点部６０は、基端部が下ケース１１の奥側端面に形成されたスリットに取り付けられたＬ字状のスイッチ切片６１と、基端部が下ケース１１の図１中左側端面に形成されたスリットに取り付けられた直線状のスイッチ切片６２とを有したノーマルオープンタイプのリードスイッチである。スイッチ切片６１の後端部、スイッチ切片６２の後端部が外部端子６３、６４となっている一方、スイッチ切片６１の先端部とスイッチ切片６２の先端部との間が接点となっており、この接点の外側は露出している一方、その内側はレバー片７０の開放先端部に対向している。
【００２２】
レバー片７０は下ケース１１と一体的に形成された樹脂製の板状の弾性片であって、その開放先端部がスライド部２０の折り曲げ部２１に当接可能になっている。レバー片７０の開放先端部は常時図３に示すように下ケース１１の図１中左側端面とほぼ平行であるが、カードＡの挿入に伴ってスライド部２０がカード挿入位置にまで移動すると、折り曲げ部２１の押圧により図４に示すように外側に弾性変形するようになっている。この結果、スイッチ切片６２の先端部が押圧され、スイッチ切片６１の先端部と接触するようになっている。
【００２３】
この結果、ケース部１０のカードスロット１３にカードＡが挿入され、スライド部２０がプッシュ−プッシュイジェクト機構４０によりロックされる状態になると、スイッチ接点部６０がレバー片７０により押圧され、スイッチ接点出力がオフからオンに変化する。一方、カードＡが更に若干奥に挿入され、スライド部２０がカード排出位置にまで移動すると、プッシュ−プッシュイジェクト機構４０によりロック解除され、カードＡがスライド部２０を通じてバネ部３０の弾性力によりカード排出方向に移動し、その一部がカードスロット１３から外に出る。この状態になると、スイッチ接点部６０がレバー片７０により押圧されず、スイッチ接点出力がオンからオフに変化する。この結果、スイッチ接点部６０によりカードＡの挿脱の状態が検出される。
【００２４】
以上のように構成されたカードコネクタによる場合、ケース部１０に挿入されたカードＡの当接によりスライド部２０が移動し、スライド部２０の押圧によりレバー片７０の開放先端部が弾性変形し、レバー片７０の押圧によりスイッチ接点部６０が短絡する構成となっている。
【００２５】
そのため、カードＡの外形寸法公差に関係なく、カードＡの挿入に伴うレバー片７０の変位量が僅かであってもスイッチ接点部６０のスイッチ接点を安定して切り替えることが可能になる。よって、カードＡの外形寸法公差が大きい状況の下で、カード挿脱検出の安定化とカードコネクタの小型薄型化との双方を図ることが可能になる。特に、スイッチ接点部６０及びレバー片７０がカードＡの側方位置に配設されている点で、カードコネクタの大幅な薄型化を図ることが可能になった。
【００２６】
次に、カードコネクタの変形例を図５を参照して説明する。上記実施形態は異なるのは、レバー片７０の代わりにレバーブロック部８０を使用したという点である。レバーブロック部８０は、スライド部２０の折り曲げ部２１に装着された樹脂製の直方状ブロックであって、スライド部２０の移動に伴ってスイッチ接点部６０を短絡可能に押圧させるようになっている。この変形例による場合も上記と全く同様の効果を奏する。
【００２７】
次に、カードコネクタの別の変形例を図６を参照して説明する。上記実施形態と大きく異なるのは、ケース部１０、スライド部２０、コンタクト５０及びスイッチ接点部６０の代わりに，ケース部１０’、スライド部２０’、コンタクト５０’及びスイッチ接点部６０’をそれぞれ用いたという点である。
【００２８】
スイッチ接点部６０’については、下ケース１１’の奥側に取り付けられた直線状のスイッチ切片６１’、Ｕ字状のスイッチ切片６２’とを有したノーマルクローズタイプのスイッチである。スイッチ切片６１’の後端部、スイッチ切片６２’の後端部が図外の外部端子となっている一方、スイッチ切片６１’の先端部とスイッチ切片６２’の先端部との間が接点となっている。
【００２９】
スライド部２０’については、ケース部１０’内において挿入されたカードＡにより押圧移動自在に支持されたＬ字状の樹脂製のブロックであって、基端部がプッシュ−プッシュイジェクト機構４０に連結されている。スライド部２０’の先端部２３’は内側に張り出しており、カードＡの奥側端面に当接可能になっている。即ち、ケース部１０’にカードＡが挿入されると、スライド部２０’の先端部２３’にカードＡが当接して、バネ部３０の弾性力に抗してプッシュ−プッシュイジェクト機構４０とともに移動するようになっている。
【００３０】
特に、スライド部２０’は、カードＡの挿入に伴う移動によりスイッチ切片６２’に当接可能であり、当該当接部分にスイッチ切片６２’の先端部が入り込んで若干縮ませ可能な凹部２４’が形成されている。即ち、カードＡがカード挿入位置まで挿入され、これに伴ってスライド部２０’が移動すると、スイッチ切片６２’の先端部が凹部２４’に入り込んで、スイッチ切片６２’が縮まり、これによりスイッチ切片６１’の先端部から離れる。この状態でスイッチ接点部６０’の接点が開放するようになっている。一方、カードＡの排出とともにスライド部２０’が元の位置にまで移動すると、スイッチ切片６２’の先端部が凹部２４’から抜け、スイッチ切片６２’が元の状態に拡がり、これによりスイッチ切片６１’の先端部に接する。この状態でスイッチ接点部６０’の接点が短絡するようになっている。
【００３１】
なお、コンタクト５０’については図示の通り下ケース１１’に取り付けられている。これに伴ってケース部１０’の形状が異なっている。これ以外の点につついては上記実施形態と同様であるので、説明は省略する。
【００３２】
このようなカードコネクタによる場合、ケース部１０’に挿入されたカードＡの当接によりスライド部２０’が移動し、スライド部２０’に設けられた凹部２４’によりスイッチ接点部６０’の接点が開放するようになるノーマルオープンタイプのリードスイッチ構造も可能である。スイッチ接点部６０’の接点出力は上記実施形態とは逆になるものの、スイッチ接点部６０’によりカードＡの挿脱の状態が検出される。この場合も上記実施形態の場合と全く同様の効果を奏する。
【００３３】
なお、本発明のカードコネクタは上記実施の形態に限定されず、ケース部、スライド部、スイッチ接点部、レバー片又はレバーブロック部に関して、同一の機能を有するものであれば、どのような構成のものを用いてもかまわない。特にレバー片又はレバーブロック部については、レバー片又はスライド部の移動に伴ってスイッチ接点部を開放／短絡可能に押圧させるものである限り、どのようなものを用いても良い。また、スライド部については、カードの挿入に伴う移動によりスイッチ接点部に当接可能であり、当該当接部分にスイッチ接点部を開放／短絡可能にさせるための凸部を設けるようにしても良い。
【図面の簡単な説明】
【００３４】
【図１】本発明の実施の形態を説明するための図であって、カードコネクタの内部を示す斜視図である。
【図２】同カードコネクタの外観を示す斜視図である。
【図３】同カードコネクタに挿入されたカードがロックされる前の状態を示すカードコネクタの内部斜視図である。
【図４】同カードコネクタに挿入されたカードがロックされた状態を示すカードコネクタの内部斜視図である。
【図５】同カードコネクタの変形例を説明するための図であって、カードコネクタの内部を示す斜視図である。
【図６】同カードコネクタの別の変形例を説明するための図であって、カードコネクタの内部を示す斜視図である。
【符号の説明】
【００３５】
Ａ  カード
１０  ケース部
１３  カードスロット
２０  スライド部
４０  プッシュ−プッシュイジェクト機構
５０  コンタクト
６０  スイッチ接点部
７０  レバー片
８０  レバーブロック部
【図１】
2006147156.tif 000003
【図２】
2006147156.tif 000004
【図３】
2006147156.tif 000005
【図４】
2006147156.tif 000006
【図５】
2006147156.tif 000007
【図６】
2006147156.tif 000008